(57)【要約】【課題】挿入方向を誤った帳票に対しても、画像データを正しい方向で表示でき、またジャーナルの記録用紙にも印字方向を統一して記録でき、また帳票の受領証部分の切断が不可能な場合には代用により処理できるようにする。【解決手段】挿入方向が正常の向き６０３、および、右９０度６０４、右１８０度６０５、右２７０度６０６回転して挿入された場合を想定して、各々の場合の帳票定義データ６０２との一致度を確認することにより、帳票の確定と挿入方向の確定を同時に行なうことができる。確定された挿入方向により画像を切出す位置を補正することにより、正しい領域を切出し、必要な回転処理などを行なわせることができる。【選択図】　　　　図６
2004086704.tif 000002
【特許請求の範囲】
【請求項１】
自動機による帳票類の表示、印字および切断を含む処理方法において、
帳票類が挿入口から挿入されると、該帳票類に記載された文字や図形を読取り、読み取った文字や図形の画像データの特徴により、該帳票類が誤った方向で挿入された可能性を判定し、
誤った方向で挿入されたと判定した場合、該画像データが上下逆あるいは左右それぞれ９０度回転させた状態で挿入されたと仮定して、挿入方向を特定し、
読み取った文字や図形の画像データの全てあるいは一部を表示器に表示する際に、表示器に表示する文字や図形が正立して読めるように表示して、該表示器の画像を利用者に確認させることで処理を行うことを特徴とする自動機による帳票類の処理方法。
【請求項２】
自動機による帳票類の表示、印字および切断を含む処理方法において、
帳票類が挿入口から挿入されると、該帳票類に記載された文字や図形を読取り、読み取った文字や図形の画像データの特徴により、該帳票類が誤った方向で挿入された可能性を判定し、
誤った方向で挿入されたと判定した場合、該画像データが上下逆あるいは左右それぞれ９０度回転させた状態で挿入されたと仮定して、挿入方向を特定し、
読み取った文字や図形の画像データの全てあるいは一部を用紙に印字し、該印字された用紙を利用者に渡すか、あるいは装置内部に記録する場合には、特定された挿入方向により、挿入方向に関らず用紙類に印字する文字や図形の方向を統一して印字することを特徴とする自動機による帳票類の処理方法。
【請求項３】
自動機による帳票類の表示、印字および切断を含む処理方法において、
帳票類が挿入口から挿入されると、該帳票類に記載された文字や図形を読取り、読み取った文字や図形の画像データの特徴により、該帳票類が誤った方向で挿入された可能性を判定し、
誤った方向で挿入されたと判定した場合、該画像データが上下逆あるいは左右それぞれ９０度回転させた状態で挿入されたと仮定して、挿入方向を特定し、
該帳票類の一部を切り離して利用者に返却する場合、特定された挿入方向が前記帳票類の一部を切り離す切断機構に適合するか否かを判断し、
適合しない場合には、返却されるべき帳票類の必要部分を用紙に印字して、利用者に渡すことを特徴とする自動機による帳票類の処理方法。
【請求項４】
税金あるいは公共料金の払込み、および口座振込み等の処理を行う帳票類自動受付機において、
該帳票類が誤った方向で挿入された可能性を判定する手段と、
誤った方向で挿入されたと判定した場合、原画像からの表示画像切出しを、切出し基準位置の幅方向と高さ方向の切出し位置を計算する手段と、
切出した画像は挿入方向が誤っていることから、回転した画像の補正を行って正立した画像を得る手段と、
得られた画像を顧客操作ユニットに表示して、金額欄を正しい位置で切出された正立画像で表示する手段とを有することを特徴とする帳票類自動受付機。
【請求項５】
請求項４記載の帳票類自動受付機において、
誤った方向で挿入された回転角が右９０度であるか、あるいは右２７０度である場合には、切断方向が通常の切断方向と９０度違うことから、通常の切断方向に対し垂直に切断する切断機構を設けるか、あるいは、帳票を９０度回転させる回転機構を設け、回転してから切断するか、あるいは、切断処理を行うことなく、切断して利用者に放出すべき部分の画像を明細票に印字して代替えする印字機構を備えることを特徴とする帳票類自動受付機。
【発明の詳細な説明】
【０００１】
【発明の属する技術分野】
本発明は、金融機関などで使用される顧客操作型の自動機器などに適用され、特に税金や公共料金の払込みや、振込依頼書による口座振込などの帳票類を自動機により処理する帳票類の処理方法および帳票類自動受付機に関する。
【０００２】
【従来の技術】
従来、自動機などにおける帳票類の処理技術においては、帳票類を装置の予め決められた挿入方向とは違う向きで挿入した場合、装置はその向きが正しいものとしてみなして誤処理してしまうか、あるいは、挿入された帳票を処理不可能なものと判断して利用者に返却するかのいずれかの方式が採用されていた。
【０００３】
また、例えば特開平８−２５８３５６号公報には、操作者の帳票のセットミスが生じた場合でも、自動機側で挿入方向を認識し、逆方向に挿入されたと判断した場合には帳票を反転し、また前後逆と判断した場合には逆モード印字で逆さ文字を用いて印字処理を行って、処理の中断をなくすようにした帳票取扱装置が開示されている。
しかし、上記公報記載の装置では、その他の顧客操作などに関する問題点については解決されていない。また、方向を誤って挿入された帳票類に対しては処理を行なわない代案についても検討されている。
【０００４】
また、例えば特開平９−２１２５６２号公報には、公共料金処理装置における媒体管理方法及び媒体カット処理方法が開示されている。すなわち、印字部、リジェクト部および退避部においては、媒体が搬送されてきたとき、基準位置の物理的方向を基準フラグにセットすることにより、その基準フラグに基づいて各部における媒体の処理および媒体間の移動を管理して、媒体が装置に挿入されるときの方向が逆方向であっても、それに関係なく、媒体の処理および搬送を正確かつ高速に行っている。
【０００５】
【発明が解決しようとする課題】
上述のように、従来技術では、帳票類を装置の予め決められた挿入方向とは違う向きで挿入した場合、装置はその向きが正しいものとしてみなして誤処理してしまうか、あるいは挿入された帳票を処理不可能なものと判断して利用者に返却するなど方式がとられていた。ここで、処理できないとする理由の一つに、読取った帳票画像を表示部に表示し、利用者に確認させる際に、帳票の向きが異なっているため正しい位置および向きの画像を表示できないことが挙げられる。
【０００６】
また、処理できないとする理由の他の一つに、読取った帳票画像を明細票やジャーナル用紙に記録する際に、帳票の向きが異なっているため正しい位置および向きの画像を印字できないことが挙げられる。
【０００７】
また、処理できないとする理由の他の一つに、帳票の一部を切り離して利用者に返却する機能を有する場合、帳票の向きが異なっているため正しい位置で切断できないことが挙げられる。
【０００８】
そこで、本発明の目的は、これら従来の課題を解決し、挿入方向を誤って挿入された帳票に対しても、帳票上の必要な位置の画像データを正しい方向で表示することができ、またジャーナル等の記録用紙にも印字方向を統一して記録することができ、また帳票の受領証部分の切断処理が不可能な場合には、他の方法で代用することにより処理を続行できるような帳票類の処理方法および帳票類自動受付機を提供することにある。
【０００９】
【課題を解決するための手段】
上記目的を達成するため、本発明の帳票類の処理方法は、帳票の向きを判断し、その情報から表示器に表示する文字や図形が正しい位置から切り出され、正立して読めるように表示することで、処理を可能とする。
また、帳票の向きを判断し、その情報から用紙に印字する文字や図形が正しい位置から切り出され、方向が統一されて印字されるようにすることで、処理を可能とする。
また、帳票の向きを判断し、その情報から正しい位置で切断できないと判断される場合は、返却されるべき帳票類の必要部分を用紙に印字して利用者に渡すことで、処理を可能とする。
【００１０】
【発明の実施の形態】
以下、本発明の実施例を、図面により詳細に説明する。
図１は、本発明の一実施例である帳票類自動受付機の構成図である。
図１に示すように、本発明に係る帳票類自動受付機を右側面から見た図と正面から見た図を同時に示している。
後述する帳票処理を行なう帳票ユニット１００と、通帳の取扱いを行なう通帳ユニット１０１と、明細票の印字発行やジャーナル記録を行なう明細票・ジャーナルユニット１０２と、硬貨の入出金を行なう硬貨ユニット１０３と、紙幣の入出金を行なう紙幣ユニット１０４と、顧客や係員あるいは保守員に操作手順などの情報を表示し、キー入力を受け付ける顧客操作ユニット１０５と、装置内の全ての動作を制御し、帳票ユニット１００から得た帳票の画像データを元に帳票の識別や文字認識処理を行なう制御部１０６と、装置内に動作のための電力を供給する電源部１０７から構成される。
【００１１】
帳票処理では、帳票ユニット１００にて読取られた帳票の画像データが制御部１０６に送られ、制御部１０６において帳票の種類の判定や、記載されている金額などの認識が行なわれる。詳細は、後に図３により詳しく説明する。
【００１２】
図２は、図１における帳票ユニット１００の一例を示す構成図である。
帳票ユニット１００は、帳票挿入口２０１から挿入された帳票を帳票搬送路２０２を介して搬送し、イメージリーダ２０３にて帳票の全体の画像を読取り、捺印部２０４で帳票の任意の位置に受領印の捺印を行い、印字部２０５で帳票の任意の位置に印字を行い、帳票を搬送路２０２に逆方向に戻して切断部２０６にて帳票の任意の位置で帳票を切断し、搬送路２０２をさらに帳票挿入口２０１まで戻して受領書を利用者に返却し、残った帳票の半券は収納部２０８へ収納するように構成されている。
【００１３】
ここで、利用者に返却する受領証が装置奥側にある場合には、受領証を一度退避路２０７に退避させる制御を行なった後、帳票を収納部２０８へ収納することが可能なようにも構成されている。また、これらを制御するため、制御部１０６の命令に従って帳票ユニット１００を制御する帳票ユニット制御部２０９を持つ。
【００１４】
図３は、帳票処理の手順の一例を、主に利用者の操作に従って示したフローチャートであって、従来と同じ手順である。図３（ａ）は主なフロー、図３（ｂ）はステップ３０９の画像処理の詳細フロー、図３（ｃ）はステップ３１１の帳票処理の詳細フローを示している。
取引は「いらっしゃい」の画面が表示された顧客操作ユニット１０５で、操作者が画面にタッチすることにより利用したい取引を選択することから開始される（ステップ３０１）。この場合、例えば「電話料金払込み」などを選択する。
以後、操作は顧客操作ユニット１０５に必要に応じて表示される選択キーや数字キーにタッチすることにより進行する。
【００１５】
納付方法の選択（ステップ３０２）は、磁気カードによる口座より充当するか、あるいは現金を装置に投入して支払うかを選択するが、この例では磁気カードによる取引を想定し、磁気カードを装置に挿入して（ステップ３０３）、暗証番号を入力する（ステップ３０４）。
引き続き、取引後に帳票の不具合を銀行側が見つけた場合を想定して、連絡先の電話番号を入力する（ステップ３０５）。
【００１６】
次に、納付先の大分類を選択する（ステップ３０６）。例えば、図４に示す帳票例の場合には、「電話」などの分類を選択する。
次に、納付金額を帳票を見ながらキー入力する（ステップ３０７）。例えば、図４の帳票例の場合には、「５６７８９円」と入力する。
次に、該当帳票を帳票ユニット１００の帳票挿入口２０１に挿入すると（ステップ３０８）、直ちに画像を読取り、画像処理を実施する（ステップ３０９）。
【００１７】
図４に示す帳票例４００は、△△電話株式会社に対する電話料金の振込み帳票であって、領収印４０６が３個押印されるようになっているが、右片が利用者に渡される受領証部４０７、中央片が扱った金融機関に保管される帳票、左片が電話会社に料金とともに渡される帳票である。切断部２０６で切断されるのは、左片と中央片の間の切り取り線（カット位置）４０８であり、他は切断されずに、そのまま収納部２０８に収納される。
４０１はＩＤコード、４０２は口座番号、４０３は帳票名、４０４は納付金額、４０５はバーコードである。
【００１８】
以下、図３（ｂ）により、画像処理（ステップ３０９）を詳細に説明する。
イメージリーダ２０３は１次元のラインセンサであり、イメージリーダの下に帳票を定速度で搬送させることにより、２次元の帳票画像データを得ることができる（ステップ３２１）。帳票画像データは制御部１０６に転送され、該当する大分類に含まれる帳票データ全数との一致度計算が実施され（ステップ３２２）、一致するものが選択される。なお、大分類とは、例えば、税金（市民税、都民税、固定資産税）と公共料金（ＮＴＴ電話料金、東電電気料金等）の分類などである。
【００１９】
一致度の計算は、図５に示すような帳票の罫線情報５００が、挿入された帳票の画像データ上に類似して存在しているかを計算することにより求める。具体的には、帳票画像を縦横各々１６分割し、各桝目に含まれる縦横の罫線の数をカウントし、カウント値の類似を求めるなどにより行なう。
このほか、図４に示す帳票固有のＩＤ番号４０１の認識結果や、帳票固有の口座番号４０２の認識結果や、帳票名４０３の認識結果、あるいは帳票の縦横寸法が合っているか、利用者が手で入力した金額と機械が認識した金額が合っているか、などを元に帳票取扱い可否の判定を行なう（ステップ３２３）。
【００２０】
取扱い可となるものが得られない場合、挿入された帳票はこの装置では取扱いできなかったものと判定され、帳票を返却して処理を終了する（ステップ３２４）。ここで、返却される帳票には、上下左右を誤って挿入した帳票も含まれている。
【００２１】
また、取扱い可否の判定（ステップ３２３）の結果、取扱い可となるものが得られた場合は、同時にその帳票の帳票名４０３・金額欄の位置４０４・表示画像切出し位置（図７の７００）・印字画像切出し位置（同７０１）・受領印の捺印位置（図８の８００〜８０２）・切断位置（同８０３）・切断後の受領証の位置が装置前面側か奥側かなどの情報が装置が記憶しているデータから判明している。
【００２２】
画像処理（ステップ３２０）としては、表示画像切出し位置（図７の７００）に基づいて表示画像切出しを実施し（ステップ３２５）、更に印字画像切出し位置（図７の７０１）に基づき、ジャーナルへの記録などのための印字画像の切出しを行い（ステップ３２６）、処理を終了する。
【００２３】
図３（ａ）に戻り、次に、装置は利用者への納付内容の確認として（ステップ３１０）、顧客操作ユニット１０５に装置の判定した「帳票名」「振込金額」「表示画像」（主に金額欄を表示するように設定する）を表示し、取引を続行してもよいかを選択させる。利用者が取引続行を選択すると、帳票に対しては捺印部２０４で受領印の捺印位置（図８の８００〜８０２）に基づいて捺印を行い、引き続き印字部２０５で日付や通番などの印字を行い、次に切断部２０６で切断位置（図８の８０３）に基づき帳票の切断を行なう。
【００２４】
その後、受領証が装置奥側にある場合には、受領証を一旦退避路２０７に退避させた状態で、帳票の回収する半券を収納部２０８に回収し、退避路２０７の受領証を帳票挿入口２０１付近まで搬送しておく。受領証が装置前面側にある場合は、帳票の回収する半券を収納部２０８に回収して、受領証を帳票挿入口２０１付近まで搬送しておく。以上、帳票処理を終了させる（ステップ３１１）。
【００２５】
カードによる口座引き落としの処理は、ここでは詳細には述べないが、口座データの更新をセンタに対して行い、必要な情報を印字した明細票を作成する。
また、明細票・ジャーナルユニット１０２のジャーナル記録紙には、取引の通番・取引金額などの詳細を印字し、更に印字画像の切出し処理（ステップ３２６）により切出された画像データを印字する。連続納付の場合には、利用者に連続納付を選択させる（ステップ３１２）。
以上の処理が終了するとまず受領証を放出し（ステップ３１３）、引き続きカードおよび明細票を放出して（ステップ３１４）、取引は終了する。
【００２６】
次に、帳票処理（ステップ３１１）の詳細を、図３（ｃ）により説明する。
捺印部２０４で捺印を行い（ステップ３３１）、次に印字部２０５で日付や金額の印字を行い（ステップ３３２）、切断部２０６で受領証を切断する（ステップ３３３）。受領証以外の部分を収納部２０８に収納した後（ステップ３３４）、受領証を帳票挿入口２０１まで搬送して受領証返却の準備をする（ステップ３３５）。これにより、帳票処理を終了する。
【００２７】
図６は、本発明における一致度の計算例を示す図である。
挿入された帳票が、装置内に記憶されている帳票データと比較して一致するかどうか、さらには、どの向きで挿入されたかを判断する例を示している。
装置内部に記憶されている帳票データは、帳票毎に罫線情報６００や表６０２に示す判定項目に対応する「帳票幅」，「帳票長さ」，「帳票名」４，「ＩＤコード」５，「ロゴマーク」６などの情報を持っている。
【００２８】
帳票を挿入すると、読取られた画像を元に前述の判定項目１〜７について判定して行く。罫線の類似度は、例えば類似度が７５％以上であれば罫線情報６００が類似した帳票であると判断される。帳票の幅や高さは帳票データの示す値の５％以内であれば、ＯＫと判断される。帳票名４・ＩＤコード５・ロゴマーク６などは、認識結果が一致しているか否かを判断し、一致していればＯＫとする。金額の認識結果は、全桁が数字もしくは「￥」「，」「．」「−」などの金額を示す記号であればＯＫと判断する。これらの判定項目が、全て類似した帳票を示している場合は、この帳票は装置の持っている帳票データと一致する帳票であると判断される。
【００２９】
正常に挿入したと想定した場合の向き６０３に対応する判定を行なった結果を表６０２の「正常」欄６０７に示す。同様に、帳票が右９０度回転して挿入された場合６０４と想定して判定を行なった場合の結果が「右９０度」欄６０８であり、以下帳票を右１８０度回転した場合６０５は「右１８０度」欄６０９、右２７０度回転した場合６０６の結果は「右２７０度」欄６１０に表されている。本表６０２の示す値は、帳票を正常な向きに挿入した場合であり、「正常」欄の総合判定は、「一致」その他向きに対する総合判定は「不一致」となっている。
【００３０】
ここで、帳票の向きを回転させて挿入した場合には、回転した向きに応じた欄の総合判定が「一致」となり、例えば右１８０度回転させて挿入した場合６０５には、「右１８０度」欄６０９の総合判定が「一致」となる。このことにより、本表に従って判定を行なえば、帳票が装置内のデータに一致するかだけでなく、挿入された帳票がどの向きで挿入されたのかが判定可能となる。
【００３１】
図７は、本発明における表示および印字のための帳票定義例を示す図である。
本例では、金額欄７００を顧客操作ユニット１０５に表示して、キー入力した金額と比較確認してもらい、またジャーナル用紙に受領証の一部７０１を印字することを想定している。帳票の左上角７０２を基準に表示および印字領域の左上角７０３，７０４の位置を定め、表示および印字領域の大きさを幅（Ｗｏ，Ｗｐ）および高さ（Ｈｏ，Ｈｐ）で指定する例である。
【００３２】
図８は、本発明における帳票処理のための定義例を示す図である。
本例では、帳票株の受領印欄３箇所に捺印し、受領証を切断することを想定している。捺印箇所は、帳票の左上角７０２を基準に捺印中心位置８００，８０１，８０２を定め、切断位置８０３は、帳票左端からの距離で指定する例である。
【００３３】
帳票定義が図７や図８の如くに行われていることが確定しているならば、帳票の挿入方向が異なるとき、すなわち画像読取りの結果、得られた画像（原画像と称する）の向きが正常挿入時と異なっていても、前述の帳票の挿入方向を判断する方法によって得られた結果より、画像上の基準位置を変更し、また、得られた切出し後の画像を回転することによって、正しい位置で切出された正しい向きの画像を得ることができる。具体的な処理手順を図９で説明する。
【００３４】
図９は、本発明において、右１８０度回転挿入時の表示処理を表したフローチャートである。
前処理として、挿入方向の判定処理が実施され（ステップ８９０）、右１８０度回転した画像であることが判定されているものとする。原画像からの表示画像切出しは、帳票画像の左上９０２を基準として処理する前提であるとすると、１８０度回転した原画像の場合は、切出し基準位置９０３の幅方向Ｏｗ’を求めるには、帳票定義上の基準位置７０２が画像上では右下角となる位置関係であることから、式（Ｗ−Ｗｏ−Ｏｗ）で得られる（ステップ９００）。同様に高さ方向の切出し位置（Ｏｈ’）は、式（Ｈ−Ｈｐ−Ｐｈ）で得られる（ステップ９０１）。
【００３５】
この切出し位置Ｏｈ’，Ｏｗ’を左上に持つ領域を高さＨｏ，幅Ｗｏで切り取れば、求める位置の画像を切出したことになる（ステップ９０４）。次に、切出した画像は挿入方向が誤っていることから回転した画像になっているため、本例の場合、左に１８０度回転することにより求める正立した画像が得られる（ステップ９０５）。この処理により得られた画像を顧客操作ユニット１０５に表示すれば、金額欄が正しい位置で切出され、正立して表示される（ステップ９０６）（請求項１に対応）。
【００３６】
用紙に印字する画像データに関しても、同様の処理を行なえば求める画像が得られるので、ここでは詳細説明は行なわない。同様の処理によって得られた画像を用紙に印字することにより、帳票の挿入方向に関わらず統一した方向で画像を記録することができ、検索性に優れた記録を残すことが可能となる（請求項２に対応）。
【００３７】
次に、図１０は、本発明において、右１８０度回転挿入時の切断処理例を示すフローチャートである。
図８の受領証切断位置８０３で装置により切断する場合、帳票が右１８０度回転して挿入されたと想定した場合の処理方法例を示している。
まず、挿入方向のチェックを行う（ステップ９９０）。帳票の切断処理は、帳票の右端からの切断位置を指定して処理する前提であるとすると、帳票が右１８０度回転している場合は、指定する切断位置Ｃｗ’は、帳票の幅Ｗから帳票定義上の切断位置Ｃｗを引いた値となり、式（Ｃｗ’＝Ｗ−Ｃｗ）で切断位置を計算する（ステップ１０００）。このＣｗ’の位置に搬送した後（ステップ１００２）、切断処理を行なうことにより（ステップ１００４）、求める位置で切断処理を実行することができる（ここで、帳票の挿入方向を検知して帳票に対する処理を変更する手法については、従来例で示した特開平８−２５８３５６号公報で開示されている）。
【００３８】
ここで、もし挿入時の回転角が右９０度であったり、右２７０度であったりした場合は、切断方向が通常の切断方向と９０度違うことになり、通常の切断方向に対し垂直に切断する機構を設けるか、帳票を９０度回転させる機構を設けるかしないと切断処理できなくなるが、切断処理は行なわず、本来切断して利用者に放出すべき部分の画像を明細票に印字して代替えすることで処理を続行することは可能である（請求項３に対応）。明細票に印字する場合には、画像切出し位置の計算および回転による画像の向きの修正を行なう必要があるが、これは、前述の表示画像を得る手順と同様に処理すれば得られるので詳述はしない。
【００３９】
【発明の効果】
以上説明したように、本発明によれば、挿入方向を間違えた帳票に対しても顧客操作ユニットに帳票上の必要な位置の画像データを正しい方向で表示することができ、またジャーナルなどの記録用紙にも印字方向を統一して記録することができ、また帳票の受領証部分の切断処理が不可能な場合は、受領証を明細票に印字することにより代用して処理を行なうことができる。
【図面の簡単な説明】
【図１】本発明の一実施例を示す帳票類自動受付機の構成図である。
【図２】図１における帳票ユニットの構成図である。
【図３】従来の帳票類自動受付機の処理手順を示すフローチャートである。
【図４】本発明の対象となる帳票例の図である。
【図５】本発明における帳票データの一致度を求めるための帳票罫線情報例の図である。
【図６】本発明における一致度の計算例を示す説明図である。
【図７】本発明における表示および印字のための定義例を示す図である。
【図８】本発明における帳票処理のための定義例を示す図である。
【図９】本発明において、右１８０度回転挿入時の表示処理例を示すフローチャートである。
【図１０】本発明において、右１８０度回転挿入時の切断処理例を示すフローチャートである。
【符号の説明】
１００：帳票ユニット
１０１：通帳ユニット
１０２：明細票・ジャーナルユニット
１０３：硬貨ユニット
１０４：紙幣ユニット
１０５：顧客操作ユニット
１０６：制御部
１０７：電源部
２０１：帳票挿入口
２０２：帳票搬送路
２０３：イメージリーダ
２０４：捺印部
２０５：印字部
２０６：切断部
２０７：退避路
２０８：回収部
２０９：帳票ユニット制御部
４００：帳票例
４０１：ＩＤコード
４０２：口座番号
４０３：帳票名
４０４：納付金額
４０５：バーコード
４０６：捺印欄
４０７：受領証部
４０８：カット位置
５００：罫線情報例
６００：基準とする罫線情報例
６０１：挿入方向のパターン
６０２：正常挿入時に想定される挿入方向毎の一致度を判定した一覧表
６０３：正常挿入方向の図
６０４：右９０度回転方向の図
６０５：右１８０度回転方向の図
６０６：右２７０度回転方向の図
６０７：正常な向きに挿入したと想定した時の判定欄
６０８：右９０度回転方向に挿入したと想定した時の判定欄
６０９：右１８０度回転方向に挿入したと想定した時の判定欄
６１０：右２７０度回転方向に挿入したと想定した時の判定欄
７００：表示領域
７０１：印字領域
７０２：表示・印字定義の基準位置
７０３：表示位置の基準位置
７０４：印字位置の基準位置
８００〜８０２：捺印中心位置
８０３：切断位置
【図１】
2004086704.tif 000003
【図２】
2004086704.tif 000004
【図３】
2004086704.tif 000005
【図４】
2004086704.tif 000006
【図５】
2004086704.tif 000007
【図６】
2004086704.tif 000008
【図７】
2004086704.tif 000009
【図８】
2004086704.tif 000010
【図９】
2004086704.tif 000011
【図１０】
2004086704.tif 000012